(57)【要約】【課題】  検出器部と変換器部とを１系統のケーブルで接続し、低コストの電磁流量計を提供する。【解決手段】  実施形態の電磁流量計は、伝送路は励磁電流と流量信号とを伝送する単一の伝送線により構成され、変換器部は励磁回路から前記伝送路への前記励磁電流の供給と前記伝送路から制御部への前記流量信号の供給とを所定のタイミングで切り替える第１の切替回路を有し、検出器部は前記第１の切替回路と同期して切り替えられ、前記第１の切替回路が前記励磁電流を前記伝送路へ供給しているときに前記伝送路からの前記励磁電流をコイル部へ供給し、前記第１の切替回路が前記伝送路からの前記流量信号を前記制御部へ供給しているときに信号生成部からの前記流量信号を前記伝送路へ供給する、第２の切替回路を具備している。【選択図】図２
2016205936.tif 000002
【特許請求の範囲】
【請求項１】
測定対象物が流れる測定管と、前記測定管に配置され前記測定管内に磁場を発生させるコイル部と、前記測定管に設けられ前記磁場内を前記測定対象物が流れることにより発生する誘導起電力を検出する電極部と、前記電極部で検出した誘導起電力から流量信号を生成する信号生成部と、を有する検出器部と、
前記検出器部と離隔して設けられ、前記コイル部に印加する励磁電流を生成する励磁回路と、前記検出器部の信号生成部で生成された流量信号から測定対象物の流量値を算出する制御部と、を有する変換器部と、
前記変換器部の励磁回路で生成された励磁電流を前記検出器部に伝送するとともに、前記検出器部で生成された流量信号を前記変換器部の制御部に伝送する伝送路と、
を有する電磁流量計であって、
前記伝送路は前記励磁電流と前記流量信号とを伝送する単一の伝送線により構成され、
前記変換器部は、
前記励磁回路から前記伝送路への前記励磁電流の供給と、前記伝送路から前記制御部への前記流量信号の供給と、を所定のタイミングで切り替える第１の切替回路と、
を有し、
前記検出器部は、
前記第１の切替回路と同期して切り替えられ、前記第１の切替回路が前記励磁電流を前記伝送路へ供給しているときに前記伝送路からの前記励磁電流を前記コイル部へ供給し、前記第１の切替回路が前記伝送路からの前記流量信号を前記制御部へ供給しているときに前記信号生成部からの前記流量信号を前記伝送路へ供給する、第２の切替回路を有する、
電磁流量計。
【請求項２】
前記検出器部には前記伝送路の電位の状態を検出する電位検出部と、前記電位検出部の検出結果に基づいて、前記第２の切り替え回路を切替えて前記信号生成部の流量信号を前記伝送路に供給する切り替えタイミング調整手段とを有する、
請求項１に記載の電磁流量計
【請求項３】
前記切り替えタイミング調整手段は前記電位検出部が前記伝送路の電位がゼロ電位になったことを検出してから第１の所定の時間が経過した後に、前記第２の切り替え回路を切替えて前記信号生成部の流量信号を前記伝送路に供給する、
請求項２に記載の電磁流量計。
【請求項４】
前記切り替えタイミング調整手段は、前記電位検出部が前記伝送路の電位がゼロ電位になったことを検出してから第２の所定の時間が経過した後に、前記伝送路からの励磁電流を前記コイル部に供給するように前記第２の切り替え回路を切替える、
請求項２又は請求項３に記載の電磁流量計。
【請求項５】
前記信号生成部は、前記切り替えタイミング調整手段による第１の所定の時間から第２の所定時間まで前記流量信号を前記伝送路へ供給するための遅延回路、又は保持回路を有する請求項４に記載の電磁流量計。
【請求項６】
前記第１の切替回路と前記制御部との間に、前記伝送路から供給された流量信号をアナログ信号からディジタル信号に変換するＡ／Ｄ変換器を含む信号処理回路を有し、前記制御部は、前記Ａ／Ｄ変換器でディジタル信号に変換された信号から流量値を求める、
請求項１乃至請求項５のいずれか１項に記載の電磁流量計
【請求項７】
前記信号生成部は流量信号をアナログ信号からディジタル信号に変換するＡ／Ｄ変換器を有し、前記流量信号をディジタル値として前記伝送路を介して前記検出器部から前記変換器部へ伝送する、請求項１乃至請求項５のいずれか１項に記載の電磁流量計。
【発明の詳細な説明】
【技術分野】
【０００１】
本発明の実施形態は、電磁流量計に関する。
【背景技術】
【０００２】
電磁流量計は測定管と、測定管内に磁界を発生するためのコイル部と、磁界内を流体が流れることにより発生した誘導起電力を検出する電極部とで構成された検出器部と、コイル部に流す励磁電流を制御する励磁回路と電極部で検出された誘導起電力から流体の流量を演算する信号処理回路とで構成された変換器部とからなる。
【０００３】
従来、電磁流量計は変換器部の励磁回路と検出器部のコイル部とを接続するケーブルと、検出器部の電極部と変換器部の信号処理回路とを接続するケーブルとの２系統のケーブルが必要となりコストが掛かるという課題があった。特に検出器部と変換器部とを離れた場所に設置するためにそれぞれがケーブルで接続された分離形においては、検出器部と変換器部の設置場所の距離に応じてケーブルコストが高くなるという課題があった。
【先行技術文献】
【特許文献】
【０００４】
【特許文献１】特許第５６３５９０７号公報
【発明の概要】
【発明が解決しようとする課題】
【０００５】
本発明が解決しようとする課題は、検出器部と変換器部とを１系統のケーブルで接続し、低コストの電磁流量計を提供することである。
【課題を解決するための手段】
【０００６】
上記課題を解決するため、実施形態の電磁流量計は、測定対象物が流れる測定管と、前記測定管に配置され前記測定管内に磁場を発生させるコイル部と、前記測定管に設けられ前記磁場内を前記測定対象物が流れることにより発生する誘導起電力を検出する電極部と、前記電極部で検出した誘導起電力から流量信号を生成する信号生成部と、を有する検出器部と、前記検出器部と離隔して設けられ、前記コイル部に印加する励磁電流を生成する励磁回路と、前記検出器部の信号生成部で生成された流量信号から測定対象物の流量値を算出する制御部と、を有する変換器部と、前記変換器部の励磁回路で生成された励磁電流を前記検出器部に伝送するとともに、前記検出器部で生成された流量信号を前記変換器部の信号処理回路に伝送する伝送路とを有し、前記伝送路は前記励磁電流と前記流量信号とを伝送する単一の伝送線により構成され、前記変換器部は、前記励磁回路から前記伝送路への前記励磁電流の供給と、前記伝送路から前記制御部への前記流量信号の供給と、を所定のタイミングで切り替える第１の切替回路と、を有し、前記検出器部は、前記第１の切替回路と同期して切り替えられ、前記第１の切替回路が前記励磁電流を前記伝送路へ供給しているときに前記伝送路からの前記励磁電流を前記コイル部へ供給し、前記第１の切替回路が前記伝送路からの前記流量信号を前記制御部へ供給しているときに前記信号生成部からの前記流量信号を前記伝送路へ供給する、第２の切替回路を有している。
【図面の簡単な説明】
【０００７】
【図１】第１の実施形態である電磁流量計の概略図。
【図２】第１の実施形態である電磁流量計のブロック図。
【図３】信号処理回路１５のブロック図。
【図４】タイミング調整回路３１と第２の切替回路２４のブロック図。
【図５】第１の実施形態である電磁流量計のタイミングチャート。
【図６】第２の実施形態である電磁流量計のブロック図。
【図７】遅延回路のブロック図。
【図８】第３の実施形態である電磁流量計のブロック図。
【図９】第４の実施形態である電磁流量計のブロック図。
【図１０】第４の実施形態における信号処理回路２５のブロック図。
【発明を実施するための形態】
【０００８】
以下、電磁流量計の実施形態を図面に基づき説明する。
【０００９】
（第１の実施形態）
図１は第１の実施形態である電磁流量計の概略図である。電磁流量計は検出器部２０と、この検出器部２０と離隔して設けられた変換器部１０と、これら検出器部２０と変換器部１０とを電気的に接続する伝送路３０とからなる。
【００１０】
変換器部１０は励磁電流を生成し、伝送路３０を介して検出器部２０へ励磁電流を伝送する。検出器部２０の内部には測定管２１を有する。この測定管２１の両側には配管４０、４０が接続されており、一方の配管４０を流れる測定対象物は測定管２１を介して、他方の配管４０へと流れる。
【００１１】
検出器部２０へ伝送された励磁電流は測定管２１に配置されたコイル部２３（後述の図２参照）に供給される。コイル部２３は励磁電流が流れることで、測定管２１内に磁場を発生させる。この磁場の中を測定対象物が流れると、誘導起電力が発生する。検出器部２０は誘導起電力に基づく流量信号を、伝送路３０を介して変換器部１０へ伝送する。
【００１２】
変換器部１０は検出器部２０から伝送された誘導起電力に基づく流量信号から、測定管２１を流れる測定対象物の流量値を算出する。変換器部１０には算出された流量値を表示する表示部１６を有している。
【００１３】
図２は第１の実施形態である電磁流量計のブロック図である。変換器部１０は、制御部である中央演算装置（以下ＣＰＵ１１と称す）と、励磁回路１２と、タイミング制御回路１３と、第１の切替回路１４と、信号処理回路１５と、表示部１６とを備えている。
【００１４】
ＣＰＵ１１は励磁回路１２とタイミング制御回路１３と信号処理回路１５とに電気的に接続されている。ＣＰＵ１１は励磁回路１２に励磁電流の生成に係る信号を出力するとともに、タイミング制御回路１３に制御信号を出力する。この制御信号は、励磁回路１２における励磁電流の供給および停止の切り替えのタイミング、第１の切替回路１４の切り替えのタイミング、および信号処理回路１５が流量信号をディジタル信号に変換する際に用いられるタイミングの情報となる。また、ＣＰＵ１１は信号処理回路１５が変換したディジタル信号から測定対象物の流量値を算出し、表示部１６に算出した流量値を表示させる。
【００１５】
励磁回路１２は検出器部２０の測定管２１に磁場を発生させるためのコイル部２３に流す励磁電流を生成する回路である。励磁回路１２は第１の切替回路１４と電気的に接続されており、第１の切替回路１４に励磁電流を供給する。
【００１６】
第１の切替回路１４は励磁回路１２とタイミング制御回路１３と信号処理回路１５と電気的に接続されている。また、第１の切替回路１４は伝送路３０内の伝送線と電気的に接続されている。第１の切替回路１４は励磁回路１２にて生成された励磁電流を伝送路３０へ供給し、伝送路３０から伝送された流量信号を信号処理回路１５へと供給する。第１の切替回路１４は励磁電流の供給と流量信号の供給を周期的に切り替える。励磁電流を伝送路３０に供給するときは第１の切替回路１４を励磁回路１２側に切替え、励磁電流の供給を遮断したのちに第１の切替回路１４を信号処理回路１５側に切替える。即ち第１の切替回路１４は、伝送路３０に励磁電流と流量信号とが同時刻において伝送されることがないように時分割に切り替えを行う。
【００１７】
タイミング制御回路１３はＣＰＵ１１と励磁回路１２と第１の切替回路１４と信号処理回路１５と電気的に接続されている。タイミング制御回路１３はＣＰＵ１１より上記制御信号を受信すると、励磁回路１２に対して、当該制御信号に基づいて正と負の励磁電流の生成の制御を行う。
【００１８】
信号処理回路１５はＣＰＵ１１と第１の切替回路１４とタイミング制御回路１３と電気的に接続されている。信号処理回路１５は第１の切替回路１４より供給されたアナログの流量信号をＣＰＵ１１にて測定対象物の流量値として算出するために、ディジタル信号に変換する。
【００１９】
図３は信号処理回路１５のブロック図の一例である。信号処理回路１５はＡ／Ｄ変換器５０と信号出力回路５１とからなる。Ａ／Ｄ変換器５０はアナログの流量信号をディジタル信号に変換する。また、信号出力回路５１はタイミング制御回路１３からサンプリング制御に係る信号を受信し、サンプリングの処理をする。信号出力回路５１は上記ディジタル信号と、サンプリング制御に係る信号からＣＰＵ１１に流量信号のディジタル信号を出力する。
【００２０】
ただし、信号処理回路１５は図３の構成に限定されるものではない。信号処理回路１５の構成は増幅器等で流量信号を増幅してから、Ａ／Ｄ変換器５０に入力する構成でも良い。また、信号出力回路５１を省略し、ＣＰＵ１１にてサンプリングの処理を行っても良い。
【００２１】
図２に示す通り、検出器部２０は測定管２１と、電極部２２、２２と、コイル部２３、２３と、第２の切替回路２４と、信号生成部２５と、タイミング調整回路３１とを備えている。
【００２２】
第２の切替回路２４は伝送路３０とタイミング調整回路３１とコイル部２３、２３と信号生成部２５とに接続されている。第２の切替回路２４はタイミング調整回路３１から発せられる信号により、伝送路３０の接続先をコイル部２３、２３と信号生成部２５とに切り替えられる。
【００２３】
コイル部２３、２３に励磁電流が印加されると、測定管２１の内部において一方のコイル部２３から他方のコイル部２３に向かって磁場が発生する。この測定管２１に測定対象物が流れると、誘導起電力が発生する。この誘導起電力は磁場の向き、および測定対象物の流れる方向に対して、略直交する方向に発生する。この誘導起電力を電極部２２、２２が検出する。
【００２４】
信号生成部２５は一例として、差動増幅器などがある。誘導起電力は非常に小さい電力のため、信号生成部２５で増幅させる。本実施形態および以下の実施形態において、信号生成部２５により出力された信号を流量信号と称す。この流量信号は第２の切替回路２４へ供給される。
【００２５】
第２の切替回路２４の切替タイミングは第１の切替回路１４の切り替えのタイミングと同期している。第１の切替回路１４が励磁電流を伝送路３０へ供給し、伝送路３０より励磁電流が第２の切替回路２４に伝送されると、第２の切替回路２４は励磁電流をコイル部２３へ供給する。
【００２６】
図４はタイミング調整回路３１と第２の切替回路２４のブロック図である。タイミング調整回路３１と第２の切替回路２４とは伝送路３０と接続されている。タイミング調整回路３１は電位検出部３２と切り替えタイミング調整部３３とを有している。電位検出部３２はタイミング調整回路３１と伝送路３０との接続部の電位を検出する。電位検出部３２がゼロ電位を検出したとき、切り替えタイミング調整部３３は当該検出から所定の時間が経過した後に、第２の切替回路２４に接続を切り替える信号を発する。
【００２７】
実際には、電位検出部３２は、伝送路３０に励磁電流が流れているときは高電位と検出し、伝送路３０に励磁電流が流れていないとき、及び流量信号が流れているときにゼロ電位であると検出する。一般的に励磁電流を流すために印加している電圧は１０（Ｖ）から２０（Ｖ）程度であり、流量信号が流れているときの電圧と比べて高電位となる。ただし、印加電圧の値については上記の値に限定されるものではない。
【００２８】
図５は本実施形態の励磁電流と流量信号とが流れるタイミングチャートである。図５（ａ）は励磁回路１２により生成される励磁電流の波形図である。タイミング制御回路１３は励磁回路１２を制御して、励磁電流について、正方向の生成の状態、負方向の生成の状態、およびこれらの間の非生成の状態を上記制御信号に基づいて４Ｔの周期で周期的に生成させる。励磁電流は図５（ａ）のように矩形波として生成される。
【００２９】
図５（ａ）において、励磁電流が正方向および負方向に生成されているとき、タイミング制御回路１３は、第１の切替回路１４に励磁回路１２と伝送路３０とを電気的に接続させ、励磁電流を検出器部２０へ伝送させる。タイミング制御回路１３はＴの周期で第１の切替回路１４を切り替える。
【００３０】
励磁回路１２より励磁電流の正の矩形波電流が第１の切替回路１４を介して、伝送路３０に供給されると、図４の電位検出部３２の電位はゼロ電位から正の高電位(以下単に正電位という)に遷移する。電位検出部３２が正電位を検出したときは第２の切替回路２４は伝送路３０からの励磁電流をコイル部２３に供給している。
【００３１】
タイミング制御回路１３は励磁電流が検出器部２０へ伝送した後、すなわち、正の励磁電流を時間Ｔだけ伝送した後、検出器部２０にて生成された流量信号が伝送路３０及び第１の切替回路１４を介して信号処理回路１５に供給されるように第１の切替回路１４の切り替えの制御を行う。即ち、励磁電流が図５（ａ）のように生成され、コイル部２３に供給されると、コイル部２３は間欠駆動される。コイル部２３の駆動と駆動との間の非駆動時に流量信号を検出器部２０から変換器部１０へ伝送する。
【００３２】
図５（ｂ）は信号生成部２５により生成される流量信号のタイミングチャートである。第２の切替回路２４は第１の切替回路１４と同期して切り替えが行われる。
【００３３】
励磁電流の正の矩形波電流の伝送が終了し、第１の切替回路１４が励磁電流の供給から停止に切り替わると電位検出部３２は正電位からゼロ電位を検出する。電位検出部３２がゼロ電位を検出してから第１の所定の時間（図５では０．１Ｔ）が経過すると、第２の切替回路２４は、伝送路３０に流量信号を供給するように切り替えをする。
【００３４】
この時、図４の切り替えタイミング調整部３３はブロック（０．１Ｔ経過）より、第２の切替回路２４に切替信号を送信する。第２の切替回路２４は切替信号を受信すると、信号生成部２５と伝送路３０とを接続する切り替えを行う。これにより、変換器部１０への流量信号の供給が開始される。
【００３５】
さらに、第２の切替回路２４は電位検出部３２がゼロ電位を検出してから第２の所定時間（図５では０．９Ｔ）経過した後、第２の切替回路２４を切替えて伝送路３０に流量信号の供給を遮断する。流量信号の供給を遮断する切り替えを行う。
【００３６】
この時、図４の切り替えタイミング調整部３３はブロック（０．９Ｔ経過）より、第２の切替回路２４に切替信号を送信する。第２の切替回路２４は切替信号を受信すると、コイル部２３と伝送路３０とを接続する切り替えを行う。これにより、変換器部１０への流量信号の供給が遮断される。
【００３７】
以上により、第２の切替回路２４は、励磁電流の供給を停止する第１の切替回路１４の切り替えに同期して切り替えを行う。すなわち、第１の切替回路１４が励磁電流の供給を停止してから０．１Ｔ乃至０．９Ｔの間だけ流量信号を伝送路３０に供給するように切り替わる。ただし、上記０．１Ｔおよび０．９Ｔは本実施形態および、以下の実施形態において一例に過ぎず、この値に限定されるものではなく、第１の切替回路１４の切替と同時であってもよい。
【００３８】
上記の第１の切替回路１４の切り替えタイミングを、検出器部２０が伝送路３０の電位により検出し、ゼロ電位を検出してから所定の遅延時間に基づいて、第２の切替回路２４の切り替えを行う手段を切り替えタイミング調整手段と称する。
【００３９】
この切り替えタイミング調整手段により、伝送路３０において励磁電流と流量信号とが混線することなく、同一の伝送線で伝送することが可能となる。
【００４０】
このように構成することにより、伝送路３０は変換器部１０により生成された励磁電流を検出器部２０への伝送と、検出器部２０にて検出された誘導起電力に基づく流量信号を変換器部１０への伝送とを、単一の伝送線により伝送することができる。
【００４１】
なお、信号処理回路１５は図５（ｂ）のアナログの流量信号をディジタル信号に変換する。このディジタル信号の一例として図５（ｂ）の各矩形の最大振幅の値についてディジタル値とする。図５（ｃ）はディジタル信号の例である。測定対象物の流量が１．００（ｌ／ｍｉｎ）の場合は１００となり、０．７５（ｌ／ｍｉｎ）の場合は０１１となる。ただし、本実施形態および以下の実施形態において、流量信号のディジタル信号は図５（ｃ）に限定されるものではない。
【００４２】
（第２の実施形態）
第２の実施形態である電磁流量計の概略図は図１と同様である。図６は第２の実施形態の電磁流量計のブロック図である。本実施形態は第１の実施形態の検出器部２０の信号生成部２５と第２の切替回路２４との間に遅延回路２６を挿入したものである。遅延回路２６を挿入することで、信号生成部２５から供給される流量信号を第２の切替回路２４に供給されるタイミングを調整することが可能となる。
【００４３】
図７は遅延回路２６の一例である。遅延回路２６は複数のバッファ回路２６ａとスイッチ２６ｂとからなる。バッファ回路２６ａはＯＰアンプの出力を帰還させたものである。複数のバッファ回路２６ａは直列に接続されており、これらの入力端子は信号生成部２５の出力と電気的に接続されている。それぞれのバッファ回路２６ａの出力端にはノード２６ｃが設けられており、ここにスイッチ２６ｂが接続される。スイッチ２６ｂは第２の切替回路２４と電気的に接続されている。スイッチ２６ｂの接続先のノード２６ｃを変更することで遅延回路２６による流量信号の遅延量を調整することができる。
【００４４】
図７は遅延回路２６の一例であり、たとえば、抵抗素子（Ｒ）とキャパシタンス（Ｃ）を組み合わせたＣＲ遅延回路でも良い。遅延回路２６の形態は図７の形態やＣＲ遅延回路に限定されるものではない。
【００４５】
以上により、本実施形態においても伝送路３０において励磁電流と流量信号とが混線することなく、同一の伝送線で伝送することが可能となる。
【００４６】
（第３の実施形態）
第３の実施形態である電磁流量計の概略図は図１と同様である。図８は第３の実施形態の電磁流量計の構成図である。本実施形態は第１の実施形態の検出器部２０の信号生成部２５と第２の切替回路２４との間に保持回路２７を挿入したものである。保持回路２７には一例として、コンデンサなどがあり、容量が可変である可変コンデンサでも良い。
【００４７】
本実施形態では図５（ａ）の励磁電流が生成されており、当該励磁電流が伝送路３０にて伝送されている間に、信号生成部２５で生成された流量信号が保持回路２７によって一時的に保持する。第２の切替回路２４は第１の切替回路１４と同期して切り替わる。第１の切替回路１４が切り替わり、伝送路３０が信号処理回路１５側に電気的に接続されるとき、第２の切替回路２４は保持回路２７と伝送路３０とを電気的に接続するよう切り替える。この際に保持回路２７に保持されていた流量信号は伝送路３０に供給され、変換器部１０に伝送される。即ち伝送路３０による励磁電流の伝送が終了した後も、流量信号は保持回路２７にて保存されることとなる。
【００４８】
以上により、本実施形態においても伝送路３０において励磁電流と流量信号とが混線することなく、同一の伝送線で伝送することが可能となる。
【００４９】
（第４の実施形態）
第４の実施形態である電磁流量計の概略図は図１と同様である。図９は第４の実施形態の電磁流量計の構成図である。本実施形態は第１の実施形態の変換器部１０から信号処理回路１５を省略したものである。また、検出器部２０の信号生成部２５はＡ／Ｄ変換器５３を有し、ディジタル値の流量信号を伝送路３０に出力する。
【００５０】
図１０は検出器部２０の信号生成部２５の構成図の一例である。信号生成部２５は増幅器５２とＡ／Ｄ変換器５３と信号出力回路５４とからなる。増幅器５２は電極部２２により検出された誘導起電力を増幅する回路である。Ａ／Ｄ変換器５３は増幅器５２により増幅されたアナログの誘導起電力をディジタル値に変換する回路である。信号出力回路５４はＡ／Ｄ変換された当該ディジタル値を伝送路３０へ供給するためにサンプリングするための回路である。即ち、信号生成部２５は電極部２２から出力された誘導起電力をディジタル信号に変換し、第２の切替回路２４を介して伝送路３０に供給する。ただし、信号生成部２５は図１０の構成に限定されるものではない。
【００５１】
変換器部１０は第１の切替回路１４にて、伝送路３０から流量信号のディジタル信号が供給される。このため、第１の実施形態のＡ／Ｄ変換するための信号処理回路１５を省略することができ、第１の切替回路１４はＣＰＵ１１にディジタル値の流量信号を出力することが可能である。
【００５２】
なお、本実施形態において電極部２２と信号生成部２５との間に、遅延回路２６、保持回路２７、またはこれらを組み合わせた回路を接続して、流量信号のディジタル信号が第２の切替回路２４に供給されるタイミングを調整することも可能となる。また、信号生成部２５は遅延回路２６、保持回路２７、またはこれらを組み合わせた回路を含んだ構成としても良い。
【００５３】
これにより、伝送路３０は、流量信号をディジタル信号として伝送することから、伝送路３０の距離が長くなっても流量信号が減衰することが無い。
【００５４】
以上により、本実施形態においても伝送路３０において励磁電流と流量信号とが混線することなく、同一の伝送線で伝送することが可能となる。
【００５５】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１０‥‥変換器部、
１１‥‥ＣＰＵ、
１２‥‥励磁回路、
１３‥‥タイミング制御回路、
１４‥‥第１の切替回路、
１５‥‥信号処理回路、
１６‥‥表示部、
２０‥‥検出器部、
２１‥‥測定管、
２２‥‥電極部、
２３‥‥コイル部、
２４‥‥第２の切替回路、
２５‥‥信号生成部、
２６‥‥遅延回路、
２６ａ‥‥バッファ回路、
２６ｂ‥‥スイッチ、
２６ｃ‥‥ノード、
２７‥‥保持回路、
３０‥‥伝送路、
３１‥‥タイミング調整回路、
３２‥‥電位検出部、
３３‥‥切り替えタイミング調整部、
４０‥‥配管、
５０‥‥Ａ／Ｄ変換器、
５１‥‥信号出力回路、
５２‥‥増幅器、
５３‥‥Ａ／Ｄ変換器、
５４‥‥信号出力回路。 
【図１】
2016205936.tif 000003
【図２】
2016205936.tif 000004
【図３】
2016205936.tif 000005
【図４】
2016205936.tif 000006
【図５】
2016205936.tif 000007
【図６】
2016205936.tif 000008
【図７】
2016205936.tif 000009
【図８】
2016205936.tif 000010
【図９】
2016205936.tif 000011
【図１０】
2016205936.tif 000012